(57)【要約】【課題】従来の変形検出装置では、発音体から発生する音量が限られているので、報知範囲が限られるといった課題があった。【解決手段】本発明の吊下げ式変形検出装置は、可撓性を有した長尺状の感圧手段１が可撓性を有したシート状の支持手段２と共に吊り下げて配設され、感圧手段１の出力信号に基づき支持手段２の変形状態を検出するので、例えば、検出信号を送信装置で遠隔に送信して報知することが可能となり、信頼性の高い報知が可能となる。【選択図】図１
2008272337.tif 000002
【特許請求の範囲】
【請求項１】
可撓性を有した長尺状の感圧手段と、前記感圧手段が配設され前記感圧手段と共に吊下げて支持される可撓性を有したシート状の支持手段と、前記感圧手段の出力信号に基づき前記支持手段の変形状態を検出する検出手段とを備えた吊下げ式変形検出装置。
【請求項２】
支持手段は複数の感圧手段を配設し、検出手段は前記複数の感圧手段の出力信号に基づき前記支持手段の変形状態を検出する請求項１に記載の吊下げ式変形検出装置。
【請求項３】
支持手段は暖簾やカーテン等、出入り口や通路に配設される設置物から成る請求項１または２に記載の吊下げ式変形検出装置。
【請求項４】
支持手段は身体に装着可能な衣装から成る請求項１または２に記載の吊下げ式変形検出装置。
【請求項５】
請求項１〜４のいずれか１に項記載の吊下げ式変形検出装置で検出された支持手段の変形状態をディスプレイ上で動画表示させる制御手段を備えた変形状態表示システム。
【発明の詳細な説明】
【技術分野】
【０００１】
本発明は暖簾状の変形検出装置に関する。
【背景技術】
【０００２】
従来、この種の変形検出装置としては、暖簾に鈴や風鈴のような発音体を配設して人が通過すると発音体から音を発生させるものがあった（例えば特許文献１参照）。
【特許文献１】実開昭５９−１１２３００号公報
【発明の開示】
【発明が解決しようとする課題】
【０００３】
ところが、上記従来技術では、発音体から発生する音量が限られているので、報知範囲が限られるといった課題があった。
【０００４】
本発明は上記状況に鑑みてなされたもので、信頼性の高い報知が可能となり、他の有効利用が可能な変形検出装置を提供することを目的とする。
【課題を解決するための手段】
【０００５】
前記従来の課題を解決するために、本発明に係る吊下げ式変形検出装置は、可撓性を有した長尺状の感圧手段と、前記感圧手段が配設され前記感圧手段と共に吊下げて支持される可撓性を有したシート状の支持手段と、前記感圧手段の出力信号に基づき前記支持手段の変形状態を検出する検出手段とを備えたことを特徴とするものである。
【発明の効果】
【０００６】
本発明の吊下げ式変形検出装置は、可撓性を有した長尺状の感圧手段が可撓性を有したシート状の支持手段と共に吊り下げて配設され、前記感圧手段の出力信号に基づき前記支持手段の変形状態を検出するので、例えば、検出信号を送信装置で遠隔に送信して報知することが可能となり、信頼性の高い報知が可能となる。
【発明を実施するための最良の形態】
【０００７】
第１の発明は、可撓性を有した長尺状の感圧手段と、前記感圧手段が配設され前記感圧手段と共に吊下げて支持される可撓性を有したシート状の支持手段と、前記感圧手段の出力信号に基づき前記支持手段の変形状態を検出する検出手段とを備えたものである。
【０００８】
また、第２の発明は、特に第１の発明において、支持手段は複数の感圧手段を配設し、検出手段は前記複数の感圧手段の出力信号に基づき前記支持手段の変形状態を検出するものである。
【０００９】
また、第３の発明は、特に第１の発明において、支持手段は暖簾やカーテン等、出入り口や通路に配設される設置物から成るものである。
【００１０】
また、第４の発明は、特に第１の発明において、支持手段は身体に装着可能な衣装から成るものである。
【００１１】
また、第５の発明は、第１〜４のいずれか１つの発明の吊下げ式変形検出装置で検出された支持手段の変形状態をディスプレイ上で動画表示させる制御手段を備えた変形状態表示システムである。
【００１２】
以下、本発明の実施の形態について、図面を参照しながら説明する。なお、この実施の形態によって本発明が限定されるものではない。
【００１３】
（実施の形態１）
本発明の第１の実施の形態を図１を参照して説明する。
【００１４】
図１は本発明の第１の実施の形態における吊下げ式変形検出装置の外観図である。本装置は、可撓性を有した長尺状の感圧手段１と、感圧手段１が配設され感圧手段１と共に吊下げて支持される可撓性を有したシート状の支持手段２と、感圧手段１の出力信号に基づき支持手段２の変形状態を検出する検出手段３と、検出手段３から無線で送信された信号を受信して音声報知する報知手段４を備えている。感圧手段１は変形に応じた出力を発生するもので、例えばケーブル状の圧電センサを使用する。また、支持手段２は暖簾で、建物の出入り口や通路に配設される。暖簾の分割領域に対応して、感圧手段１は複数本配設して並列で検出段３に接続されている。
【００１５】
上記構成により、人が支持手段２としての暖簾をくぐると、暖簾の変形により感圧手段１も変形し、感圧手段１から変形に応じた出力信号が発生する。そして、検出手段３で感圧手段１の出力信号に基づき支持手段２の変形状態が検出される。この検出方法としては、例えば、感圧手段１の出力信号が予め設定した閾値以上ならば変形有りと判定する。そして、検出手段３から検出信号が無線で送信され、報知手段４がその信号を受信して音声報知を行う。
【００１６】
上記作用により、遠隔でも人が暖簾をくぐったということが確認でき、信頼性の高い報知が可能となるといった効果がある。そして、本実施の形態により、来客報知や来客数の集計に活用が可能となる。また、侵入者の検知により防犯にも活用できる。
【００１７】
また、支持手段２が複数の感圧手段１を配設し、検出手段３は複数の感圧手段１の出力信号に基づき支持手段２の変形状態を検出するので、感圧手段１の検知範囲が広くなり、検出性能が向上する。
【００１８】
尚、検知対象により、検出手段３の検出方法を変更してもよい。例えば、変形の判定を厳し目に行ないたい場合は、複数の感圧手段１の出力信号をそれぞれ解析し、その全てが閾値以上ならば変形有りと判定する。一方、変形の判定を緩和する場合は、複数の感圧手段１の出力信号をそれぞれ解析し、いずれか１つが閾値以上ならば変形有りと判定する、といった検出方法で構成してもよい。
【００１９】
また、感圧手段１の出力信号の周波数分析を行い、ある特定の周波数があれば変形有りと判定したり、不要な周波数域の信号をフィルタで除去して検出処理を行なう構成としてもよい。
【００２０】
また、感圧手段１の出力信号の振幅の大きさに応じて、報知音の強度や音色、曲目等を変更するような構成としてもよい。
【００２１】
（実施の形態２）
本発明の第２の実施の形態を図２を参照して説明する。
【００２２】
図２は本発明の第２の実施の形態における吊下げ式変形検出装置および変形状態表示システムの外観図である。本実施の形態では、支持手段５は身体に装着可能な衣装（スカート）から成る構成とし、さらに、支持手段５の変形状態をディスプレイ６上で動画表示させる制御手段７を備えた構成としている。
【００２３】
上記構成により、支持手段５の衣装（スカート）を着用した人がダンス等の動作を行なうと、支持手段５が揺れて変形し、支持手段５の変形により感圧手段１も変形し、感圧手段１から変形に応じた出力信号が発生する。そして、検出手段３で感圧手段１の出力信号に基づき支持手段５の変形状態が検出され、検出手段３から検出信号が無線で送信され、制御手段７がその信号を受信して、検出信号に応じた動画信号を生成してディスプレイ６上で動画表示させる。動画としては、例えば、支持手段５の衣装（スカート）の変形状態をそのままアニメーションで表示する。
【００２４】
上記作用により、例えば、ディスプレイ６上にダンス等の規範となる動作をアニメーションで表示して、支持手段５を着用した使用者がその表示通りの動作が出来たかどうかを同じ画面上にアニメーションで表示する、といったことが可能になり、ゲームやトレーニング等として活用できる。
【００２５】
尚、本実施の形態に実施の形態１を適用して、人体への不要な接触があると報知するといったような防犯システムとして構成してもよい。
【産業上の利用可能性】
【００２６】
以上のように、本発明の吊下げ式変形検出装置は、防犯装置やゲーム機器、トレーニング装置等として広く活用できる。
【図面の簡単な説明】
【００２７】
【図１】本発明の第１の実施の形態における吊下げ式変形検出装置の外観図
【図２】本発明の第２の実施の形態における吊下げ式変形検出装置および変形状態表示システムの外観図
【符号の説明】
【００２８】
１  感圧手段（圧電センサ）
２  支持手段（暖簾）
３  検出手段
５  支持手段（衣装）
６  ディスプレイ
７  制御手段
【図１】
2008272337.tif 000003
【図２】
2008272337.tif 000004